(57)【特許請求の範囲】
【請求項１】
軸流ファンの回転軸と略同軸に配置されて、前記軸流ファンから生じる気流を調整する静翼ユニットであって、
前記回転軸の付近から径方向外側へ延びる複数の整流羽根と、
前記複数の整流羽根の位置を切り替える切替機構と、
を有し、
前記切替機構は、前記整流羽根の内端部に対する外端部の周方向の相対位置と、前記回転軸に直交する平面に対する前記整流羽根の仰俯角とを、２段階以上に切り替え、
前記切替機構は、
固定基部と、
前記固定基部に対して前記回転軸を中心として回転可能に連結された可動リングと、
前記整流羽根が有する連結部と、
を有し、
前記固定基部および前記連結部のいずれか一方は、第１抜止部を有し、
前記固定基部および前記連結部の他方は、前記第１抜止部を回転可能に保持する第１止受部を有し、
前記可動リングおよび前記連結部のいずれか一方は、前記第１抜止部の軸方向前方または軸方向後方に配置された第２抜止部を有し、
前記可動リングおよび前記連結部の他方は、前記第２抜止部を回転可能に保持する第２止受部を有し、
前記可動リングが回転することで、前記整流羽根の内端部に対する外端部の周方向の相対位置と、前記回転軸に直交する平面に対する前記整流羽根の仰俯角とが、同時に切り替わる。
【請求項２】
請求項１に記載の静翼ユニットにおいて、
前記切替機構は、前記複数の整流羽根が連結される単一の操作部材を有し、
前記操作部材の操作により、前記整流羽根の内端部に対する外端部の周方向の相対位置と、前記回転軸に直交する平面に対する前記整流羽根の仰俯角とが、同時に切り替わる静翼ユニット。
【請求項３】
請求項１又は請求項２に記載の静翼ユニットにおいて、
前記第１止受部の形状と、前記第２止受部の形状とが異なり、
前記可動リングを回転させると、前記第１止受部および前記第２止受部のそれぞれの形状に応じて、前記第１抜止部または前記第２抜止部が回転とともに軸方向に摺動することで、前記整流羽根の内端部に対する外端部の周方向の相対位置と、前記回転軸に直交する平面に対する前記整流羽根の仰俯角とが、同時に切り替わる静翼ユニット。
【請求項４】
請求項１乃至請求項３のいずれか１項に記載の静翼ユニットにおいて、
前記固定基部は、前記回転軸の周りに螺旋状に延びるネジ山またはネジ溝を備え、
前記可動リングは、前記ネジ山に接触するネジ溝または前記ネジ溝に接触するネジ山を備え、
前記可動リングが回転することで、前記可動リングが前記固定基部に対して軸方向に移動する静翼ユニット。
【請求項５】
請求項１乃至請求項４のいずれか１項に記載の静翼ユニットにおいて、
前記第１抜止部の外面または前記第１止受部の内面は、球状であり、
前記第２抜止部の外面または前記第２止受部の内面は、球状である静翼ユニット。
【請求項６】
請求項１乃至請求項５のいずれか１項に記載の静翼ユニットにおいて、
前記複数の整流羽根は、それぞれ、径方向内端部に切り欠きを有する静翼ユニット。
【請求項７】
請求項１乃至請求項６のいずれか１項に記載の静翼ユニットにおいて、
前記複数の整流羽根は、それぞれ、前記軸流ファン側の面に複数の突起を有する静翼ユニット。
【請求項８】
前記回転軸を中心として回転するインペラと、
前記インペラを回転させるモータと、
を有し、軸方向前方へ向かう気流を発生させる軸流ファンと、
前記インペラの軸方向前方に配置された、請求項１乃至請求項７のいずれか１項に記載の静翼ユニットと、
を有する送風機。
【請求項９】
請求項８に記載の送風機において、
前記切替機構は、
前記静翼ユニットが無い場合よりも、前記インペラから生じる気流を収束させるスポットモードと、
前記静翼ユニットが無い場合よりも、前記インペラから生じる気流を拡散させるワイドモードと、の間で、前記整流羽根の位置を切り替える送風機。
【請求項１０】
請求項９に記載の送風機において、
少なくとも前記ワイドモードにおいて、前記複数の整流羽根の各々の前記インペラ側の面が、径方向外側へ向かうにつれて、前記インペラから離れるように傾斜する送風機。
【発明の詳細な説明】
【技術分野】
【０００１】
本発明は、静翼ユニットおよび送風機に関する。
【背景技術】
【０００２】
従来、扇風機やサーキュレータなどの送風機には、軸流ファンが用いられている。軸流ファンは、モータからの駆動力でインペラを回転させることにより、モータの回転軸と略平行な方向に気流を発生させる。これらの送風機では、使用時の状況によって、特定の方向に風を集中させたい、または、風を遠くまで届けたい場合と、広い範囲に風を拡散させたい場合とがある。このため、軸流ファンから生じる風を収束または拡散させるための構造が、従来提案されている。
【０００３】
従来の送風機については、例えば、実公平１−１１９９４号公報に記載されている。当該公報の送風機では、ファンモータの前方に、気流を調節するための複数の羽根が設けられている。そして、風向調節リングを回転または水平移動させて、各羽根の向きを変えることにより、拡散送風と特定方向への送風とを切り替えている。
【特許文献１】実公平１−１１９９４号公報
【発明の概要】
【発明が解決しようとする課題】
【０００４】
しかしながら、実公平１−１１９９４号公報の構造では、各羽根の内端部および外端部の位置を変化させることなく、各羽根の内端部と外端部とを結ぶ軸を中心として羽根の角度を変化させることにより、ファンモータから生じる気流を調節している。このため、羽根の角度によっては、気流の損失が大きくなる場合がある。
【０００５】
本発明の目的は、軸流ファンから生じる気流の損失を抑えながら、気流の拡散または収束の度合いを変更できる静翼ユニットおよび送風機を提供することである。
【課題を解決するための手段】
【０００６】
本願の例示的な第１発明は、軸流ファンの回転軸と略同軸に配置されて、前記軸流ファンから生じる気流を調整する静翼ユニットであって、前記回転軸の付近から径方向外側へ延びる複数の整流羽根と、前記複数の整流羽根の位置を切り替える切替機構と、を有し、前記切替機構は、前記整流羽根の内端部に対する外端部の周方向の相対位置と、前記回転軸に直交する平面に対する前記整流羽根の仰俯角とを、２段階以上に切り替え、前記切替機構は、固定基部と、前記固定基部に対して前記回転軸を中心として回転可能に連結された可動リングと、前記整流羽根が有する連結部と、を有し、前記固定基部および前記連結部のいずれか一方は、第１抜止部を有し、前記固定基部および前記連結部の他方は、前記第１抜止部を回転可能に保持する第１止受部を有し、前記可動リングおよび前記連結部のいずれか一方は、前記第１抜止部の軸方向前方または軸方向後方に配置された第２抜止部を有し、前記可動リングおよび前記連結部の他方は、前記第２抜止部を回転可能に保持する第２止受部を有し、前記可動リングが回転することで、前記整流羽根の内端部に対する外端部の周方向の相対位置と、前記回転軸に直交する平面に対する前記整流羽根の仰俯角とが、同時に切り替わる。
【発明の効果】
【０００７】
本願の例示的な第１発明によれば、軸流ファンから生じる気流の直進成分および旋回成分が、静翼ユニットの各整流羽根に当たり、向きを変える。これにより、当該整流羽根の内端部に対する外端部の周方向の相対位置と、回転軸に直交する平面に対する仰俯角とを切り替えることで、気流の拡散または収束の度合いを変更できる。
【図面の簡単な説明】
【０００８】
【図１】図１は、扇風機の側面図である。
【図２】図２は、スポットモードにおける静翼ユニットの斜視図である。
【図３】図３は、スポットモードにおける静翼ユニットの側面図である。
【図４】図４は、スポットモードにおける静翼ユニットの正面図である。
【図５】図５は、ワイドモードにおける静翼ユニットの斜視図である。
【図６】図６は、ワイドモードにおける静翼ユニットの側面図である。
【図７】図７は、ワイドモードにおける静翼ユニットの正面図である。
【図８】図８は、切替機構の斜視図である。
【図９】図９は、切替機構の分解斜視図である。
【図１０】図１０は、連結部の断面図である。
【図１１】図１１は、スポットモードにおける切替機構の背面図である。
【図１２】図１２は、セミスポットモードにおける切替機構の背面図である。
【図１３】図１３は、セミワイドモードにおける切替機構の背面図である。
【図１４】図１４は、ワイドモードにおける切替機構の背面図である。
【図１５】図１５は、変形例に係る切替機構の分解斜視図である。
【発明を実施するための形態】
【０００９】
以下に、送風機および静翼ユニットの例を開示する。なお、本開示では、軸流ファンの回転軸と平行な方向を「軸方向」、軸流ファンの回転軸に直交する方向を「径方向」、軸流ファンの回転軸を中心とする円弧に沿う方向を「周方向」、とそれぞれ称する。また、本開示では、軸方向を前後方向とし、軸流ファンに対して静翼ユニット側を前として、各部の形状および位置関係を説明する。ただし、この前後方向の定義により、送風機および静翼ユニットの使用時における設置の向きを限定する意図はない。
【００１０】
＜１．扇風機の全体構成＞
図１は、静翼ユニット５０を備えた扇風機１の側面図である。この扇風機１は、モータ１０の動力によりインペラ４０を回転させて、軸方向前方へ風を送る送風機である。扇風機１は、例えば、家庭の床面に置かれ、ユーザが涼をとるために用いられる。図１に示すように、この扇風機１は、モータ１０、モータカバー２０、脚部３０、インペラ４０，静翼ユニット５０、およびガード６０を有する。なお、図１では、インペラ４０および静翼ユニット５０を明示するため、ガード６０を破断した状態で描いている。
【００１１】
モータ１０は、インペラ４０に対して、回転のための動力を供給する動力源である。モータ１０は、筐体であるモータカバー２０の内部に収容される。モータ１０は、回転軸９に沿って軸方向前方へ延びるシャフト１１を有する。シャフト１１の前端部は、モータカバー２０の前面よりも軸方向前方へ突出している。モータ１０に駆動電流を供給すると、モータ１０内に配置されたコイルとマグネットとの間の磁力によって、回転軸９を中心とするトルクが発生する。これにより、モータ１０のシャフト１１が、回転軸９を中心として回転する。図１中の実線矢印Ｒ０は、シャフト１１の回転方向を示している。
【００１２】
モータ１０には、例えばブラシレスＤＣモータが用いられる。ブラシレスＤＣモータは、ブラシの摩耗による性能の劣化が無いため、ブラシ付きモータよりも長寿命である。また、ブラシレスＤＣモータは、ＡＣモータよりも変速制御を行いやすく、かつ、消費電力が低い。ただし、ブラシレスＤＣモータに代えて、ブラシ付きモータや、ＡＣモータが用いられていてもよい。
【００１３】
脚部３０は、ベース部３１と支柱３２とを有する。ベース部３１は、モータカバー２０の下方において、略水平に広がる。扇風機１の使用時には、ベース部３１の下面が床面に接触する。支柱３２は、ベース部３１の上面から上方へ向けて延び、その上端部が、モータカバー２０に接続される。これにより、床面から一定の高さ位置に、モータ１０およびモータカバー２０が支持される。
【００１４】
インペラ４０は、回転軸９を中心として回転することで、軸方向前方へ向かう気流を発生させる部材である。インペラ４０は、モータカバー２０の軸方向前方に配置される。図１に示すように、インペラ４０は、中央に位置するカップ部４１と、カップ部４１から径方向外側へ延びる複数の回転羽根４２とを有する。カップ部４１は、モータ１０のシャフト１１の前端部に固定される。複数の回転羽根４２は、カップ部４１の径方向外側において周方向に配列される。各回転羽根４２は、軸方向および周方向に対して、斜めに広がる。各回転羽根４２の回転方向先頭側の端縁は、回転方向後尾側の端縁よりも、軸方向後方に位置する。
【００１５】
モータ１０を駆動させると、モータ１０のシャフト１１およびシャフト１１に固定されたインペラ４０が、回転軸９を中心としてシャフト１１の回転方向Ｒ０と同一の方向に回転する。そうすると、複数の回転羽根４２により気体が加速され、インペラ４０の周囲において、軸方向後方から軸方向前方へ向かう気流が生じる。すなわち、この扇風機１では、モータ１０とインペラ４０とで、軸方向前方へ向かう気流を発生させる軸流ファン７０が構成されている。
【００１６】
インペラ４０は、例えば、射出成型により得られる単一の樹脂部材である。ただし、インペラ４０は、複数の部材で構成されていてもよい。例えば、カップ部４１と複数の回転羽根４２とが、互いに別部材であってもよい。また、インペラ４０は、樹脂以外の材料からなるものであってもよい。
【００１７】
静翼ユニット５０は、インペラ４０から生じる気流を調整するための機構である。静翼ユニット５０は、軸流ファン７０の軸方向前方に位置し、かつ、軸流ファン７０の回転軸９と略同軸に配置される。静翼ユニット５０は、シャフト１１およびインペラ４０とは切り離されている。したがって、シャフト１１およびインペラ４０の回転時にも、静翼ユニット５０は回転することなく静止する。図１に示すように、静翼ユニット５０は、複数の整流羽根５１と、整流羽根５１の位置を切り替える切替機構５２とを有する。
【００１８】
扇風機１のユーザは、切替機構５２を操作して、複数の整流羽根５１の位置を切り替えることにより、インペラ４０から生じる気流の収束または拡散の度合いを調整できる。インペラ４０から生じる気流を、静翼ユニット５０が無い場合よりも収束させる状態を、以下では、「スポットモード」と称する。スポットモードでは、扇風機１の軸方向前方に位置するユーザに対して、集中的に強い風を送ることができる。また、インペラ４０から生じる気流を、静翼ユニット５０が無い場合よりも拡散させる状態を、以下では、「ワイドモード」と称する。ワイドモードでは、広い範囲に位置する複数のユーザに対して、緩やかな風を送ることができる。
【００１９】
ガード６０は、インペラ４０および静翼ユニット５０を内部に収容する籠状の枠体である。ガード６０は、インペラ４０により生じる気流の通過を許容しながら、回転するインペラ４０にユーザが接触することを防止する。図１に示すように、ガード６０は、外周リング６１、複数の前方スポーク６２、および複数の後方スポーク６３を有する。外周リング６１、複数の前方スポーク６２、および複数の後方スポーク６３は、それぞれ、鉄などの金属からなる。ただし、これらの部材の表面は、樹脂の薄膜に覆われていてもよい。
【００２０】
外周リング６１は、インペラ４０の径方向外側を円環状に取り囲む。複数の前方スポーク６２は、静翼ユニット５０の軸方向前方において、放射状に広がっている。各前方スポーク６２の径方向外側の端部は、外周リング６１に固定される。また、各前方スポーク６２の径方向内側の端部は、静翼ユニット５０の切替機構５２に固定される。複数の後方スポーク６３は、インペラ４０の軸方向後方において、放射状に広がっている。各後方スポーク６３の径方向外側の端部は、外周リング６１に固定される。また、各前方スポーク６２の径方向内側の端部は、モータカバー２０に固定される。
【００２１】
＜２．静翼ユニットについて＞
続いて、静翼ユニット５０の、より詳細な構成について説明する。
【００２２】
図２および図５は、静翼ユニット５０の斜視図である。図３および図６は、静翼ユニット５０の側面図である。図４および図７は、静翼ユニット５０の正面図である。インペラ４０から生じる気流は、図２および図５中の破線矢印Ｆ１のように、全体として軸方向前方へ向かう。ただし、当該気流は、図２および図５中の破線矢印Ｆ２のように、インペラ４０の回転方向Ｒ０と同一の方向に旋回する旋回成分を有する。
【００２３】
上述の通り、静翼ユニット５０は、複数の整流羽根５１と、整流羽根５１の位置を切り替える切替機構５２とを有する。
【００２４】
複数の整流羽根５１は、切替機構５２の周囲において、周方向に略等間隔に配置されている。各整流羽根５１は、回転軸９の付近から、径方向外側に延びて形成される。各整流羽根５１の形状は、直線状であっても円弧状であっても構わない。図２〜図７の例では、各整流羽根５１が、径方向外側へ向けて直線状に延びている。
【００２５】
なお、ガード６０の前方スポーク６２が傾斜している場合には、各整流羽根５１の前方スポーク６２側の端縁を、前方スポーク６２の傾斜に沿って傾斜させてもよい。例えば、前方スポーク６２が、径方向外側へ向かうにつれて軸方向後方側へ変位するように傾斜している場合、各整流羽根５１の前方スポーク６２側の端縁も、径方向外側へ向かうにつれて軸方向後方側へ変位するように傾斜していてもよい。このようにすれば、ガード６０の内部のスペースを有効に利用して、静翼ユニット５０を配置できる。したがって、扇風機１を軸方向に省スペース化できる。
【００２６】
切替機構５２は、整流羽根５１の内端部に対する外端部の周方向の相対位置（以下、位相角と称する）と、整流羽根５１の回転軸９に直交する平面に対する傾き(以下、仰俯角と称する）とを、同時に切り替える。これにより、スポットモードとワイドモードとの間で、整流羽根５１の位置を多段階に切り替える。
【００２７】
図２〜４は、スポットモードにおける静翼ユニット５０を示している。図２〜図４に示すように、スポットモードでは、複数の整流羽根５１の姿勢が、軸方向に対して平行に近い状態となる。このため、スポットモードでは、インペラ４０から生じる気流の直進成分が、整流羽根５１により拡散されることなく、図２中の破線矢印Ｆ３のように、軸方向前方へ送られる。また、図４に示すように、整流羽根５１の内端部に対する外端部の周方向の相対位置が、インペラ４０の回転方向Ｒ０とは逆方向に位置する。このため、インペラ４０から生じる気流の旋回成分は、整流羽根５１に当たると、図４中の破線矢印Ｆ４のように、径方向内側へ流れの向きを変え、回転軸９付近に収束する。
【００２８】
したがって、スポットモードでは、回転軸９付近に収束した気流の旋回成分に直進成分が加わり、扇風機１の軸方向前方に位置するユーザに対して、集中的に強い風を送ることができる。また、インペラ４０から生じる気流を、軸方向前方のより遠くまで送ることができる。
【００２９】
図５〜図７は、ワイドモードにおける静翼ユニット５０を示している。図５〜図７に示すように、ワイドモードでは、複数の整流羽根５１の姿勢が、軸方向に対して垂直に近い状態となる。このため、ワイドモードでは、インペラ４０から生じる気流の直進成分が、整流羽根５１により拡散され、図５中の破線矢印Ｆ５のように、径方向外側へ送られる。また、図７に示すように、整流羽根５１の内端部に対する外端部の周方向の相対位置が、インペラ４０の回転方向Ｒ０と同方向に位置する。このため、インペラ４０から生じる気流の旋回成分は、整流羽根５１に当たると、図７中の破線矢印Ｆ６のように、径方向外側へ流れの向きを変え、拡散される。
【００３０】
したがって、ワイドモードでは、インペラ４０から生じる気流の直進成分および拡散成分がいずれも拡散され、扇風機１の軸方向前方の広い範囲に位置する複数のユーザに対して、緩やかな風をおくることができる。
【００３１】
このように、この扇風機１では、軸流ファン７０から生じる気流の直進成分および旋回成分が、静翼ユニット５０の各整流羽根５１に当たることによって、向きを変える。したがって、当該整流羽根５１の位相角と仰俯角とを切り替えることで、気流の拡散または収束の度合いを変更できる。
【００３２】
複数の整流羽根５１は、径方向内端部に湾曲状の切り欠き５１Ｂを有している。これにより、複数の整流羽根５１の内端部付近の風が、軸方向前方に通りやすくなる。したがって、回転軸９付近の風量を増加させることができる。図２に示すように、切り欠き５１Ｂは、整流羽根５１における径方向の内端部で、かつ、スポットモードにおいて整流羽根５１の軸方向前方側に位置することが好ましい。これにより、スポットモードにおいても、整流羽根５１とインペラ４０との距離が一定に保たれ、インペラ４０から生じる気流を整流羽根５１に、均一に当てることができる。
【００３３】
また、図２、図３、図５、および図６に示すように、複数の整流羽根５１は、それぞれ、インペラ４０側の面に複数の突起５１Ａを有している。複数の突起５１Ａは、インペラ４０から生じる気流の一部に細かな乱流を形成し、整流羽根５１から風が逸れることによる、大きな風の剥離を抑えることができる。これにより、風の剥離による風切り音が抑えられ、送風時の騒音を低減できる。図２、図３、図５、および図６の例では、各整流羽根５１の軸方向前方側の端縁に沿って、外端部付近と内端部付近とに、突起５１Ａが設けられている。ただし、整流羽根５１の他の位置に、同様の突起５１Ａが設けられていてもよい。
【００３４】
＜３．切替機構について＞
続いて、切替機構５２の、より詳細な構成について説明する。
【００３５】
切替機構５２は、複数の整流羽根５１を支持するとともに、各整流羽根５１の位相角と仰俯角とを多段階に切り替える機構である。図８および図９は、切替機構５２の構成を模式的に示した図である。なお、図８以降の各図では、切替機構５２を明示するために、一の整流羽根５１のみを描いているが、実際には、単一の切替機構５２に、一または二以上の整流羽根５１が連結される。
【００３６】
図８および図９に示すように、切替機構５２は、固定基部５２１と可動リング５２２とを有している。可動リング５２２は、固定基部５２１に対して、回転軸９を中心として回転可能に連結されている。また、固定基部５２１と可動リング５２２とは、それぞれ抜止部を備えている。以下、固定基部５２１に備えられた抜止部を第１抜止部５３１と称し、可動リング５２２に備えられた抜止部を第２抜止部５３２と称する。
【００３７】
整流羽根５１には、連結部５４０が備えられている。連結部５４０は、第１抜止部５３１と第２抜止部５３２の、それぞれに対応した止受部を有する。図８および図９の例では、連結部５４０の一対の止受部は、整流羽根５１の内端部が延びる方向と異なる方向に並んでいる。連結部５４０は、整流羽根５１と一体的に樹脂成型されるものでもよく、また、別部材として整流羽根５１に取り付けられるものでもよい。以下、第１抜止部５３１に対応した止受部を第１止受部５４１と称し、第２抜止部５３２に対応した止受部を第２止受部５４２と称する。
【００３８】
第２止受部５４２は、第２抜止部５３２が軸方向に摺動できるように、軸方向に延びる筒形状の空間となっている。一方、第１止受部５４１では、第１抜止部５３１の軸方向への摺動は制限されている。このように、この例では、第１止受部５４１の形状と、第２止受部５４２の形状とが、互いに異なっている。
【００３９】
図１０は、止受部に抜止部が挿入された状態での、連結部５４０の断面図である。図１０に示すように、抜止部は、球状の抜止先端部５３Ａと、抜止先端部５３Ａから回転軸９側へ延びる抜止軸部５３Ｂとを有する。抜止先端部５３Ａは、止受部内で回転可能な状態で保持される。また、第１止受部５４１および第２止受部５４２の径方向内側には、いずれも、開口５４３が設けられている。抜止軸部５３Ｂは、開口５４３の範囲内において、抜止先端部５３Ａとともに回転可能となっている。
【００４０】
なお、図１０の例では、抜止先端部５３Ａの形状が球状であるが、抜止先端部５３Ａが止受部内で回転可能な状態であるならば、他の形状であってもよい。例えば、抜止先端部５３Ａが半球状あるいは多面体形状であってもよい。ただし、抜止先端部５３Ａの外面または止受部の内面のいずれか一方は、球面状であることが好ましい。
【００４１】
ユーザが、操作部材である可動リング５２２を把持して径方向に回転させると、第１止受部５４１の内部において、第１抜止部５３１が回転し、第１抜止部５３１と第１止受部５４１との連結点を支点として、整流羽根５１の内端部が周方向に変位する。また、同時に第２止受部５４２の内部において、第２抜止部５３２が回転しつつ、第２止受部５４２の筒形状の空間に沿って、第２抜止部５３２が摺動する。これにより、整流羽根５１と連結部５４０とが、相対角度を保ちながら傾斜する。そうすると、各整流羽根５１の姿勢が、径方向内端部の傾斜に応じて変化する。その結果、整流羽根５１の位相角と仰俯角とが、同時に切り替わる。
【００４２】
図１１〜図１４は、切替機構５２の背面図である。図１１〜図１４には、可動リング５２２を回転することで、スポットモードからワイドモードへ変化する様子が示されている。図１１に示すように、スポットモードでは、整流羽根５１が軸方向に対して略平行となっている。可動リング５２２を回転させると、図１１〜図１４のように、整流羽根５１の位相角と仰俯角とが段階的に切り替わる。これにより、複数の整流羽根５１を、図１１のスポットモード、図１２のセミスポットモード、図１３のセミワイドモード、図１４のワイドモードのように切り替えることができる。したがって、使用状況に応じて、扇風機１から生じる気流の拡散または収束の度合いを、所望の状態に調節できる。切替機構５２により切り替え可能な段階数を増やせば、気流の拡散または収束の度合いを、より細かく調節できる。なお、切替機構５２は、複数の整流羽根５１の位置を、無段階すなわち連続的に切り替えるものであってもよい。
【００４３】
＜４．変形例＞
以上、本発明の例示的な実施形態について説明したが、本発明は上記の実施形態に限定されるものではない。
【００４４】
図１５は、固定基部５２１および可動リング５２２のそれぞれに、ネジ山またはネジ溝５２Ａ、５２Ｂを設けた場合の、切替機構５２の例を示している。ネジ山またはネジ溝５２Ａ、５２Ｂは、それぞれ、回転軸９の周りにおいて、螺旋状に延びる。また、固定基部５２１のネジ山またはネジ溝５２Ａと、可動リング５２２のネジ山またはネジ溝５２Ｂとは、互いに接触する。
【００４５】
可動リング５２２を周方向に回転させると、可動リング５２２が、ネジ山またはネジ溝５２Ａ、５２Ｂに従って、固定基部５２１に対して軸方向に移動する。そうすると、第１抜止部５３１と第１止受部５４Ａとの連結点を支点として、整流羽根５１の内端部が周方向に変位する。また、同時に、可動リング５２２が固定基部５２１に対して軸方向に移動する。これにより、第２抜止部５３２と第２止受部５４Ｂとの連結点が支点となり、整流羽根５１と連結部５４０とが、相対角度を保ちながら傾斜する。その結果、整流羽根５１の位相角と仰俯角とが、同時に切り替わる。この場合、ネジ山およびネジ溝５２Ａ、５２Ｂによって可動リング５２２が軸方向に移動するため、第２止受部５４Ｂ内において第２抜止部５３２が摺動する必要はない。したがって、第１止受部５４Ａと第２止受部５４Ｂとを、同一の形状にしてもよい。
【００４６】
また、整流羽根５１は、少なくともワイドモードにおいて、インペラ４０側の面が、径方向外側へ向かうにつれて、インペラ４０から離れるように傾斜していてもよい。そうすれば、インペラ４０から生じる気流を、径方向外側へより効率よく拡散させることができる。
【００４７】
また、上記の実施形態では、固定基部５２１および可動リング５２２が抜止部を有し、連結部５４０が止受部を有していた。しかしながら、連結部５４０が抜止部を有し、固定基部５２１および可動リング５２２が止受部を有していてもよい。
【００４８】
また、上記の実施形態では、扇風機１のガード６０の内部に、静翼ユニット５０が配置されていた。しかしながら、本発明の静翼ユニットは、ガードの外部に配置されるものであってもよい。また、静翼ユニットは、扇風機本体に対して着脱可能な付属品であってもよく、扇風機本体とは別に販売されるものであってもよい。
【００４９】
また、上記の実施形態では、扇風機１のいわゆる首振り機能については言及しなかったが、本発明の送風機は、首振り機能を有していてもよい。静翼ユニットをワイドモードに切り替えた状態で、さらに首振り機能を利用すれば、インペラから生じる風を、より広範囲に送ることができる。
【００５０】
また、上記の実施形態では、静翼ユニット５０を扇風機１に搭載した例について説明したが、本発明の静翼ユニットが搭載される送風機は、必ずしも、涼をとることを目的とした扇風機でなくてもよい。例えば、室内の空気を撹拌させることを目的としたサーキュレータや、髪を乾かすことを目的としたドライヤなどの送風機に、本発明の静翼ユニットを搭載してもよい。
【００５１】
また、静翼ユニットおよび送風機を構成する各部材の細部の形状は、本願の各図に示された形状と、相違していてもよい。また、上記の実施形態や変形例に登場した各要素を、矛盾が生じない範囲で、適宜に組み合わせてもよい。
【産業上の利用可能性】
【００５２】
本発明は、静翼ユニットおよび送風機に利用できる。
【符号の説明】
【００５３】
１  扇風機
９  回転軸
１０  モータ
１１  シャフト
２０  モータカバー
３０  脚部
３１  ベース部
３２  支柱
４０  インペラ
４１  カップ部
４２  回転羽根
５０  静翼ユニット
５１  整流羽根
５２  切替機構
６０  ガード
６１  外周リング
６２  前方スポーク
６３  後方スポーク
７０  軸流ファン
５１Ａ  突起
５１Ｂ  切り欠き
５２１  固定基部
５２２  可動リング
５３１  第１抜止部
５３２  第２抜止部
５３Ａ  抜止先端部
５３Ｂ  抜止軸部
５４０  連結部
５４１、５４Ａ  第１止受部
５４２、５４Ｂ  第２止受部
５２Ａ、５２Ｂ  ネジ山またはネジ溝
【図１】
0006547322.tif 000002
【図２】
0006547322.tif 000003
【図３】
0006547322.tif 000004
【図４】
0006547322.tif 000005
【図５】
0006547322.tif 000006
【図６】
0006547322.tif 000007
【図７】
0006547322.tif 000008
【図８】
0006547322.tif 000009
【図９】
0006547322.tif 000010
【図１０】
0006547322.tif 000011
【図１１】
0006547322.tif 000012
【図１２】
0006547322.tif 000013
【図１３】
0006547322.tif 000014
【図１４】
0006547322.tif 000015
【図１５】
0006547322.tif 000016